(57)【要約】【課題】本発明は、両手部若しくは片手部に装着して、手背部にあるツボ、頸項点と腰腿点を刺激する頸項点・腰腿点ツボ刺激器具を提供する。【解決手段】帯状で使用時に着脱可能に手首に巻き付けられる手首バンド１０と、紐状で中指および薬指の二指根部掌側に掛止して、手背の第２・第３中手骨間および第４・第５中手骨間の頸項点と腰腿点上を走行して両端が前記手首バンド１０の手背側に間隔を開けて止着される指掛紐部２０とを有している。【選択図】図１
2013017790.tif 000002
【特許請求の範囲】
【請求項１】
帯状で使用時に着脱可能に手首に巻き付けられる手首バンド１０と、紐状で中指および薬指の二指根部掌側に掛止して、手背の第２・第３中手骨間および第４・第５中手骨間の頸項点と腰腿点上を走行して両端が前記手首バンド１０の手背側に間隔を開けて止着される指掛紐部２０とからなることを特徴とする頸項点・腰腿点ツボ刺激器具。
【請求項２】
前記、指掛紐部２０は伸縮性を有する素材であることを特徴とする請求項１に記載の頸項点・腰腿点ツボ刺激器具。
【請求項３】
前記、指掛紐部２０に、指掛紐部２０の断面積より大きくした膨隆部を形成することができることを特徴とする請求項１に記載の頸項点・腰腿点ツボ刺激器具。
【請求項４】
前記、指掛紐部２０に形成される前記膨隆部は１個から複数個設けることが可能であることを特徴とする請求項１に記載の頸項点・腰腿点ツボ刺激器具。
【発明の詳細な説明】
【技術分野】
【０００１】本発明は、手背にあるツボ、頸項点と腰腿点を刺激するための、両手部若しくは片手部に装着するツボ刺激器具に関する。
【背景技術】
【０００２】手のツボに対する刺激は、昔からあるボケ防止のためのクルミ握りがある。そしてボケ防止以外に手のツボには多くの効果が期待できるため、様々な手のツボ刺激器具が提案されている。例えば、下記特許文献１乃至は３のようなものがある。
【先行技術文献】
【特許文献】
【０００３】特許文献１では、複数の球体を面上に配置して、これを握ることで、または手袋状に加工して手を入れることで内側面の多数の球体が手のツボを刺激する「マッサージ具」が提案されている。【０００４】特許文献２では、手掌と手背を挟んでツボを刺激する「健康器具」が提案されている。【０００５】特許文献３では、手のツボの一つである合谷穴に磁気を作用させる「磁石装着具」が提案されている。【０００６】これらでは、いずれも手のツボを刺激することができ、ツボ刺激効果を得ることが期待できる。
【特許文献１】特開２００６−２７１９５７号公報
【特許文献２】特開２００６−１５８９１２号公報
【特許文献３】特開２０１１−８３５６９号公報
【発明の概要】
【発明が解決しようとする課題】
【０００７】上記、手のツボ刺激器具が沢山あるように、手には多くのツボが存在する。そのツボの中で、特に頸項部と腰腿部に効果が高い為に、そのものの名称を付けたツボ頸項点（けいこうてん）と腰腿点（ようたいてん）がある。腰腿点は別名、腰痛点とも言われるほど腰痛に効果のあるツボである。【０００８】そこで、本発明は、これら頸項部と腰腿部に特に効果が高い頸項点（けいこうてん）・腰腿点（ようたいてん）を刺激して頸項部と腰腿部にツボ効果を期待する、頸項点・腰腿点ツボ刺激器具を提供することを目的とするものである。
【課題を解決するための手段】
【０００９】先ず始めに、頸項点（けいこうてん）と腰腿点（ようたいてん）の位置について。【００１０】頸項点は図２の３０の２点である。手背面にあり、第２・第３中手骨間で中手指節関節後方の陥凹部と、第４・第５中手骨間で中手指節関節後方の陥凹部の２カ所である。【００１１】腰腿点は、頸項点と同様に手背面にあり、図２の４０の２点である。第２・第３中手骨の接合部前方陥凹部と、第４・第５中手骨の接合部の前方陥凹部２カ所である。【００１２】そこで、前記目的を達成するために、本発明は、図１に示すように帯状で使用時に着脱可能に手首に巻き付けられる手首バンド１０と、紐状で中指および薬指の二指根部掌側に掛止して、手背の第２・第３中手骨間および第４・第５中手骨間の頸項点と腰腿点上を走行して両端が前記手首バンド１０の手背側に間隔を開けて止着される指掛紐部２０から構成される。
【発明の効果】
【００１３】上記のように構成された本発明は、指掛紐部２０が頸項点と腰腿点上を走行することで頸項点と腰腿点を指掛紐部２０によって押圧擦過刺激することができ、これにより頸項部と腰腿部にツボの効果を及ぼすことが可能となる。【００１４】更に、指掛紐部２０に頸項点・腰腿点への刺激を高める図３、図４に示すように指掛紐部２０の断面積より大きくした部分、頸項点膨隆部３１、腰腿点膨隆部４１を形成することにより、頸項点・腰腿点への押圧擦過刺激を高めることが可能となり、頸項部と腰腿部に、より有効にツボの効果を及ぼすことが可能となる。【００１５】尚、上記、指掛紐部２０に形成される前記膨隆部はツボ刺激をより加えたい任意のツボ位置に任意の個数形成することが可能である。【００１６】また、本発明の構成により、本発明を手に装着しても、日常の手指の動作を制限されることがないだけではなく、中手指節関節および手関節の屈曲伸展動作により、頸項点と腰腿点への押圧擦過刺激に強弱の変化が加わり、頸項部と腰腿部に、より有効にツボの効果を及ぼすことが可能となる。【００１７】更に、上記、本発明の一部に磁力を有する物質を用いることにより磁気刺激効果を加味することが可能となる。【００１８】また、上記、本発明の一部をゲルマニュウムなどの金属とすると金属がもつ刺激効果を加味することが可能となる。【００１９】また、上記、本発明の一部をトルマリンなどの鉱物含有物とすると鉱物がもつ刺激効果を加味することが可能となる。【００２０】更に、上記、本発明の一部を真珠などの装飾品で構成すれば装身具を兼ねた頸項点・腰腿点ツボ刺激器具となる。
【図面の簡単な説明】
【００２１】
【図１】この発明の実施例１による左手装着状態を示す一部透視を含む外観斜視図
【図２】左手背面から頸項点と腰腿点の位置を示す骨格透視図
【図３】この発明の実施例２による左手装着状態を示す一部透視を含む外観斜視図
【図４】この発明の実施例２による頸項点・腰腿点ツボ刺激器具の平面図
【発明を実施するための形態】
【００２２】以下、本発明の実施の形態について説明する。
【実施例１】
【００２３】図１において手首バンド１０は、手首を包囲するようにして面ファスナーにより着脱可能に装着される。指掛紐部２０は伸縮性を有する紐状で中指および薬指の二指根部掌側に掛止され、手背の第２・第３中手骨間および第４・第５中手骨間の頸項点と腰腿点上を走行して両端が前記手首バンド１０の手背側に間隔を開けて止着されることで頸項点と腰腿点を指掛紐部２０により押圧擦過刺激する。
【実施例２】
【００２４】図３、図４において実施例１の指掛紐部２０に指掛紐部２０の断面積より大きくした部分、頸項点膨隆部３１と腰腿点膨隆部４１を設けて押圧擦過刺激を実施例１より増強する。
【符号の説明】
【００２５】１０  手首バンド
１１  面ファスナー
２０  指掛紐部
３０  頸項点
３１  頸項点膨隆部
４０  腰腿点
４１  腰腿点膨隆部
【図１】
2013017790.tif 000003
【図２】
2013017790.tif 000004
【図３】
2013017790.tif 000005
【図４】
2013017790.tif 000006